(57)【要約】【課題】  収集したカード類を優れた美観で収納することができ、収納されたカードの入れ替え作業を容易に行うことを目的とする。【解決手段】  机等に載置されるデスクマット１であって、ベースシート１０と、透明性を有するカバーシート１１と、前記ベースシート１０と前記カバーシート１１の間に平面状に配置される複数のカード収納部２０とを備え、前記カード収納部２０は、それぞれにカード出し入れ用の開口部２１を有し且つ収納されるカードが前記カバーシート１１側から視認可能に設けられている。そして、ベースシート１０には、透明性を有する１枚の中間シート１２が、カード収納部２０となる複数の領域を区画するように固着されている。【選択図】  図１
2007000186.tif 000002
【特許請求の範囲】
【請求項１】
机等に載置されるデスクマットであって、
ベースシートと、透明性を有するカバーシートと、前記ベースシートと前記カバーシートの間に平面状に配置される複数のカード収納部とを備え、
前記カード収納部は、それぞれにカード出し入れ用の開口部を有し且つ収納されるカードが前記カバーシート側から視認可能に設けられていることを特徴とするデスクマット。
【請求項２】
前記ベースシートには、透明性を有する１枚の中間シートが、前記カード収納部となる複数の領域を区画するように固着されていることを特徴とする請求項１に記載のデスクマット。
【請求項３】
前記ベースシートと中間シートとは、第１の方向に沿う直線状の複数本の第１の固着領域と、前記第１の方向に直交する第２の方向に沿う直線状の複数本の第２の固着領域とにより固着され、
前記中間シートには、前記各開口部としての平面視略細長形状のスリットがあらかじめ穿設されており、
前記第１の固着領域は、前記スリットにおける一方の長辺の端縁に沿って形成され、
前記第２の固着領域は、前記スリットにおける両方の短辺のそれぞれの端縁に沿って形成されていることを特徴とする請求項２に記載のデスクマット。
【請求項４】
前記ベースシートと前記カバーシートとの間には、２枚のサブシートが前記カード収納部となる複数の領域を区画するように固着されて形成された中間シートが介挿され、
前記中間シートのうち、少なくとも前記カバーシート側に配置されるサブシートは透明性を有していることを特徴とする請求項１に記載のデスクマット。
【請求項５】
前記２枚のサブシートは、第１の方向に沿う直線状の複数本の第１の固着領域と、前記第１の方向に直交する第２の方向に沿う直線状の複数本の第２の固着領域とにより固着され、
前記２枚のサブシートのうち、前記カバーシート側に配置される一方には、前記各開口部としての平面視略細長形状のスリットがあらかじめ穿設されており、
前記第１の固着領域は、前記スリットにおける一方の長辺の端縁に沿って形成され、
前記第２の固着領域は、前記スリットにおける両方の短辺のそれぞれの端縁に沿って形成されていることを特徴とする請求項４に記載のデスクマット。
【請求項６】
前記中間シートは、前記ベースシートに対して、少なくとも一部が固着または仮止めされていることを特徴とする請求項５に記載のデスクマット。
【発明の詳細な説明】
【技術分野】
【０００１】
本発明は、デスクマットに係わり、更に詳しくは学習机等のデスクの天板上面に載置して使用するデスクマットに関するものである。
【背景技術】
【０００２】
従来から、学習机等のデスクの天板上面には、デスクマットが敷設されて使用されている。デスクマットとしては、ベースシートに透明性を有するカバーシートが重ねられる構造であって、これらシート間に、時間割や写真、名刺等のシート物を挟み込んで使用するようにしたものが知られている。
【０００３】
ところで、近年、小学生を中心とする子どもの間で、トレーディングカードの収集が流行している。このトレーディングカードは、キャラクターの絵柄とともに、キャラクターの解説文、カードの点数等が記載されたもので、カードゲームに用いて楽しむだけでなく、カードを追加で購入したり、交換したりして、気に入ったカードを集めることが楽しまれている。
【０００４】
そのため、前述したようなトレーディングカードを、子どもが頻繁に使用する学習机等のデスクマットに挟み込んで、コレクションとして、それを観賞したいという要望があった。
【０００５】
しかしながら、前述したような単にベースシートとカバーシートとを重ねただけの構造では、カードを整然と並べることが難しかったり、シート間に挟み込んだカードを入れ替える動作に伴って他のカードに位置ズレを生じたりして、美観が損なわれ易かった。
【０００６】
このようなカード類をデスクマットに整然と収納する従来技術としては、例えば、特許文献１には、カード類（名刺）をカードホルダーに入れた状態で、そのカードホルダーをデスクマット（デスクカバー）に挿入する構造が開示されている。特許文献１のデスクマットは、上板、中板、及び下板の積層によって構成されており、上板と中板との間となる上段、及び中板と下板との間となる下段に、仕切り片によって複数の収納部が設けられている。カードホルダーは細長形状で、その長手方向に沿って複数の名刺（カード）を並べることができる。そして、デスクマットの一方の長辺側に設けられた入口から、デスクマットの短辺に平行にカードホルダーを差し込むようになっている。
【０００７】
この特許文献１のデスクマットでは、上段の収納部に収納されたカードホルダーの名刺は、デスクマットの上方からそのまま読み取られ、下段の収納部に収納されたカードホルダーの名刺は、上段において隣接するカードホルダー同士の間隙を通して、名刺の要部（一部）のみが読み取られるものである。
【特許文献１】実公昭５５ー５４３６１号公報
【発明の開示】
【発明が解決しようとする課題】
【０００８】
特許文献１の構造では、多数のカードを整然と収納でき、上段に収納されたカードは、外部からその全容を観賞することができる。
【０００９】
しかしながら、カードを入れ替えるためには、デスクマットに差し込まれている細長形状のカードホルダーを、デスクマットから引き抜き、さらに、このカードホルダーから必要なカードを出し入れする必要がある。名刺等と異なり、トレーディングカードの場合には、ゲームに使用するためにカードを取り出したり、お気に入りのカードを並べ替えたり、あるいは新しいカードと入れ替えたりする作業が頻繁に行われる。そのため、美観だけでなく、カードの入れ替え、取り出しが容易にできる構造が要望されていた。
【００１０】
本発明は、上記課題を解消するものであり、収集したカード類を優れた美観で収納することができ、収納されたカードの入れ替え作業を容易に行うことのできるデスクマットの提供を目的とするものである。
【課題を解決するための手段】
【００１１】
前記目的を達成するために、請求項１に記載の発明におけるデスクマットは、机等に載置されるデスクマットであって、ベースシートと、透明性を有するカバーシートと、前記ベースシートと前記カバーシートの間に平面状に配置される複数のカード収納部とを備え、前記カード収納部は、それぞれにカード出し入れ用の開口部を有し且つ収納されるカードが前記カバーシート側から視認可能に設けられていることを特徴とするものである。
【００１２】
また、請求項２に記載の発明は、請求項１に記載のデスクマットにおいて、前記ベースシートには、透明性を有する１枚の中間シートが、前記カード収納部となる複数の領域を区画するように固着されていることを特徴とするものである。
【００１３】
また、請求項３に記載の発明は、請求項２に記載のデスクマットにおいて、前記ベースシートと中間シートとは、第１の方向に沿う直線状の複数本の第１の固着領域と、前記第１の方向に直交する第２の方向に沿う直線状の複数本の第２の固着領域とにより固着され、前記中間シートには、前記各開口部としての平面視略細長形状のスリットがあらかじめ穿設されており、前記第１の固着領域は、前記スリットにおける一方の長辺の端縁に沿って形成され、前記第２の固着領域は、前記スリットにおける両方の短辺のそれぞれの端縁に沿って形成されていることを特徴とするものである。
【００１４】
また、請求項４に記載の発明は、請求項１に記載のデスクマットにおいて、前記ベースシートと前記カバーシートとの間には、２枚のサブシートが前記カード収納部となる複数の領域を区画するように固着されて形成された中間シートが介挿され、前記中間シートのうち、少なくとも前記カバーシート側に配置されるサブシートは透明性を有していることを特徴とするものである。
【００１５】
また、請求項５に記載の発明は、請求項４に記載のデスクマットにおいて、前記２枚のサブシートは、第１の方向に沿う直線状の複数本の第１の固着領域と、前記第１の方向に直交する第２の方向に沿う直線状の複数本の第２の固着領域とにより固着され、前記２枚のサブシートのうち、前記カバーシート側に配置される一方には、前記各開口部としての平面視略細長形状のスリットがあらかじめ穿設されており、前記第１の固着領域は、前記スリットにおける一方の長辺の端縁に沿って形成され、前記第２の固着領域は、前記スリットにおける両方の短辺のそれぞれの端縁に沿って形成されていることを特徴とするものである。
【００１６】
また、請求項６に記載の発明は、請求項５に記載のデスクマットにおいて、前記中間シートは、前記ベースシートに対して、少なくとも一部が固着または仮止めされていることを特徴とするものである。
【発明の効果】
【００１７】
請求項１に記載の発明によれば、複数のカード収納部が平面的に区切られているから、カバーシートを捲りあげても、他のカードの並びを乱すことがない。そして、カード収納部には、個別に開口部が設けられているので、所望のカードだけを容易に入れ替えることができる。また、カードは、平面状に配置されたカード収納部にそれぞれ収納されて、カバーシートを介して視認できるから、整然と配置されていて美観に優れ、カードに表示された絵柄の全容を十分に観賞することができる。また、収納しているカードの汚れ等も確実に防止することができる。
【００１８】
請求項２に記載の発明によれば、中間シートとベースシートの間が、固着により袋状に形成されて、カード収納部となる。そして、１枚の中間シートをベースシートに固着してカード収納部が形成されるから、複数のカード収納部を一括して形成でき、製造工程の簡略化及びコストの削減が可能である。
【００１９】
請求項３に記載の発明によれば、スリットの四辺のうち、一方の長辺と両方の短辺とのそれぞれの端縁に沿って固着領域が設けられるから、他方の長辺側が、ベースシートから浮き上がり、ベースシートと中間シートとの間に形成されたカード収納部の出入口（開口部）となるので、カードの出し入れが容易となる。
【００２０】
請求項４に記載の発明によれば、２枚のサブシートの間が、固着により袋状に形成されて、カード収納部となる。そして、カード収納部に収納されたカードは、一方のサブシート及びカバーシートを介して、外部から絵柄を観賞することができる。
【００２１】
請求項５に記載の発明によれば、スリットの四辺のうち、一方の長辺と両方の短辺とのそれぞれの端縁に沿って固着領域が設けられるから、他方の長辺側が、ベースシートから浮き上がり、２枚のサブシートとの間に形成されたカード収納部の出入口（開口部）となるので、カードの出し入れが容易となる。
【００２２】
請求項６に記載の発明によれば、ベースシートとカバーシートとの間に介挿された中間シートの位置ズレを防止できる。
【発明を実施するための最良の形態】
【００２３】
以下に本発明の実施形態を図面に基づいて説明する。図１〜図４は第１実施形態を示したものである。
【００２４】
本実施形態のデスクマット１は、図１に示すように、平面視略長方形状を有し、ベースシート１０と、透明性を有するカバーシート１１と、これら２枚のシート１０、１１間に平面状に配置される複数のカード収納部２０とを備えている。そして、このカード収納部２０には、収納されたカード２の出し入れ用に、それぞれに開口部２１が設けられており、収納されたカード２は、カバーシート１１側から視認可能に設けられている。
【００２５】
なお、この実施形態では、カード２として、平面視長方形状で、これを縦長に置いた状態で絵柄が正しく読み取れるように表示されているカード類を適用するものとする。また、便宜上、デスクマット１の使用時に使用者に近い側（図１のＹ方向右側）を、デスクマット１の手前側と記載し、その反対側（図１のＹ方向左側）を奥側と記載し、また、使用者の左右となる図１のＸ方向両側を、左右側あるいは横側と記載する。
【００２６】
カード収納部２０は、１つのカード収納部２０に１枚のカード２を収納できるようになっており、その形状は、長方形状のカード２よりも少し大きな長方形状であって、カード２の出し入れを速やかに行うことができ、且つカード２がカード収納部２０の内部でがたつきなく保持できるサイズに形成されている。そして、カード収納部２０は、その長辺をデスクマットの短辺（左右の辺）に平行にして、マトリックス状に配置されている。図１では、カード収納部２０が５行１０列に配置される形態を図示しているが、これに限定するものではない。
【００２７】
開口部２１は、カード収納部２０の一方の長辺に形成されており、その長手方向の寸法は、カード収納部２０の長辺と同じ長さになっている。すなわち、カード収納部２０の一方の長辺の端から端までが、開口部２１の間口を形成しており、カード２をその長辺側を持って、カード収納部２０の横から出し入れすることができるように構成されている。
【００２８】
ベースシート１０とカバーシート１１は、略同じ大きさの平面視長方形状に形成されており、一方の長辺側（奥側）に沿って帯状に固着領域４３が設けられてこれらは固着され、残りの３辺（左右側及び手前側）は固着されずにカバーシート１１の持ち上げが可能になっている。
【００２９】
そして、ベースシート１０とカバーシート１１との対向する面には、透明性を有する１枚の中間シート１２が、カード収納部２０となる領域を区画するように固着されている。中間シート１２はベースシート１０よりも小さい平面視長方形状であり、その長辺をベースシート１０の長辺と平行にして、ベースシート１０の中央部に配置されている。
【００３０】
ベースシート１０と中間シート１２との固着領域としては、デスクマット１の長辺方向と平行な第１の方向（図１におけるＸ方向）に沿う直線状の複数本の第１の固着領域３１と、この第１の方向に直交する第２の方向（図１におけるＹ方向）に沿う直線状の第２の固着領域３２とが設けられている。
【００３１】
中間シート１２には、図２に示すように、前述した開口部２１となる平面視略細長形状のスリット２１′が、第２の方向（Ｙ方向）に平行に、あらかじめ穿設されている。スリット２１′は、カード収納部２０の配置に対応するように、第２の方向（Ｙ方向）に沿って複数本（ここでは、５本）、第１の方向（Ｘ方向）に沿って複数列（ここでは、１０列）、それぞれ配置されている。
【００３２】
第１の固着領域３１は、スリット２１′（開口部２１）における一方の長辺２１ａの端縁に沿って形成されており、第２の固着領域３２は、スリット２１′（開口部２１）における両方の短辺２１ｃ、２１ｄのそれぞれの端縁に沿って形成されている。なお、厳密には、スリットの各辺、特に短辺２１ｃ、２１ｄは曲線状に形成されている場合がある。
【００３３】
また、スリット２１′（開口部２１）には、他方の長辺２１ｂの端縁の中途部に、スリット幅Ｗを拡幅する切込部２２が設けられている。切込部２２の切込深さは、カード収納部２０に収納されるカード２の端部を切込部２２から露出させて摘めるように設定されている。図では、半円状の切込部２２を示しているが、この形状に限定するものではなく、長辺２１ａをその長手方向に渡って曲線形状に形成していもよい。
【００３４】
本実施形態では、図１に示すように、中間シート１１の左半分の領域では、開口部２１がカード収納部２０の左の長辺側に設けられ、中間シート１１の右半分の領域では、開口部２１がカード収納部２０の右の長辺側に設けられている。これは、デスクマット１の左半分の領域では、カバーシート１１の左側の端部を持ち上げて、カード収納部２０の左側からカード２を出し入れする方が使用勝手がよく、また、デスクマット１の右半分の領域では、カバーシート１１の右側の端部を持ち上げて、カード収納部２０の右側からカード２を出し入れする方が使用勝手がよいことを考慮したものである。もちろん、開口部２１の位置はこれに限定するものではなく、全てのカード収納部２０で、右側あるいは左側に統一して配置してよいことは言うまでもなく、また、奥側あるい手前側に設けてもよい。なお、この実施形態では、中間シート１２の左右両側の端縁１２ａ、１２ｂでは、あらかじめスリット２１′ではなく切込部２２のみを設け、開口部２１が形成されている。
【００３５】
カバーシート１１、ベースシート１０及び中間シート１２は、可撓性を有する素材からなり、ＥＶＡ（エチレン・酢酸ビニル共重合体樹脂）やＰＰ（ポリプロピレン）、塩化ビニル等の熱可塑性樹脂を、単層あるいは積層体にして形成したものである。
【００３６】
また、シート同士の固着は、高周波や超音波を用いた熱溶着が好適であるが、接着剤を用いてもよい。
【００３７】
上述の構成によると、複数のカード２はそれぞれカード収納部２０に収納されて、デスクマット１に平面状に配置されるから、カード２は整然と並べられて、位置ズレし難くく、美観に優れている。
【００３８】
また、カード２を入れ替える場合には、カバーシート１１を捲って、所望のカード２を直ちに抜き差しできるから、出し入れの作業が極めて容易である。
【００３９】
また、開口部２１の周囲では、３辺２１ａ、２１ｃ、２１ｄはその端縁に沿ってベースシート１０に固着され、長辺２１ｂのみがベースシート１０から浮き上がって、ベースシート１０と中間シート１２との間に袋状に形成されたカード収納部２０の出入口が形成されている。すなわち、前記開口部２１を形成する４辺のうちの３辺は、その端縁がきっちりとベースシート１０に押さえ付けられているので、開口部２１からカード２を、引っ掛かりなく、スムーズに出し入れすることができる（図４参照）。
【００４０】
次に、本発明の第２実施形態について図５に基づいて説明する。なお、第２実施形態は、第１実施形態の中間シートを応用した形態であるため、その他の同様の構成については、同一符号を付して詳細な説明を省略する。
【００４１】
第２実施形態のデスクマット１００では、中間シート１１２が、２枚のサブシート４０、４１を、カード収納部２０となる複数の領域を区画するように固着して形成されている。すなわち、複数のカード収納部２０は、中間シート１１２の状態において、個別に袋状に形成されて平面状に配置されている。そして、２枚のサブシート４０、４１のうち、カバーシート１１と対面する側に配置されるサブシート４１には、第１実施形態の中間シート１２と同様の、開口部２１となるスリットがあらかじめ穿設されている。
【００４２】
この第２実施形態の中間シート１１２も、開口部２１となるスリットの３辺の端縁に沿って、第１の固着領域３１と第２の固着領域３２とが設けられ、サブシート４０、４１が固着されている。この実施形態では、図示したように、開口部２１は全て、カード収納部２０の左側に設けているので、中間シート１１２の左側の端縁１１２ａは、あらかじめ切込部２２のみが設けられてそのまま開口部２１となっており、右側の端縁１１２ｂは、その全長に渡って上下のサブシート４０、４１を固着し封止している。
【００４３】
また、中間シート１１２は、ベースシート１０に対して、奥側では、長辺に沿う帯状の固着領域４５が設けられて固着され、手前側では、２つの隅部の先端１１２ｃ、１１２ｄが、ベースシート１０の手前側の２つの隅部に切り込み形成された係止部４４に、それぞれ差し込まれるようになっている。そして、カバーシート１１は、中間シート１１２を介在させて、ベースシート１０に固着することなく重ねられている。
【００４４】
第２実施形態を応用した他の実施形態として、例えば、前記固着領域４５をなくして、ベースシート１０の４つの隅部に係止部４４を設け、中間シートの４つの隅部の先端をそれぞれ係止部４４に差し込んで、中間シート１１２をベースシート１０に対して仮止めできるようにしたり、係止部４４をなくして、中間シート１１２とベースシート１０との固着領域を増やしたりしてもよい。
【００４５】
また、中間シート１１２のベースシート１０に対する固着や仮止めをやめて、中間シート１１２を、ベースシート１０とカバーシート１１との間に単に挟みこむようにしてもよい。もちろん、ベースシート１０とカバーシート１１とを固着しておいてもよい。
【００４６】
さらに、中間シート１１２を、ベースシート１０に対して固着あるいは仮止めするのではなく、カバーシート１１に対して、カード２の出し入れに支障がない範囲で、固着あるいは仮止めするように構成してもよい。
【００４７】
なお、上記実施形態は、縦長に使用するカード２を適用するものであるが、横長に使用するカードを適用する場合には、カード収納部の長方形状を、使用者からみて横長となるように構成してもよい。
【００４８】
また、カバーシート１１だけでなくベースシート１０にも透明性を有する素材を適用し、デスクマット１（１００）を必要に応じて裏返し、ベースシート１０を表面側にして使用して、収納しているカード２の裏面を観賞できるように構成してもよい。
【図面の簡単な説明】
【００４９】
【図１】第１実施形態のデスクマットの斜視図である。
【図２】第１実施形態の中間シートの平面図である。
【図３】（ａ）は図１のＩＩＩａ−ＩＩＩａ線矢視断面図、（ｂ）は図１のＩＩＩｂ−ＩＩＩｂ線矢視断面図である。
【図４】中間シートをベースシートに重ねた状態での平面図である。
【図５】第２実施形態のデスクマットの分解斜視図である。
【符号の説明】
【００５０】
１、１００      デスクマット
２        カード
１０      ベースシート
１１      カバーシート
１２、１１２    中間シート
２０      カード収納部
２１      開口部
２２      切込部
３１      第１の固着領域
３２      第２の固着領域
４０、４１      サブシート
【図１】
2007000186.tif 000003
【図２】
2007000186.tif 000004
【図３】
2007000186.tif 000005
【図４】
2007000186.tif 000006
【図５】
2007000186.tif 000007